(57)【要約】【課題】  十分に大きな飽和電荷量を読み出すことができる撮像素子の読出制御装置、および高品質な画像が得られる撮影装置を提供する。【解決手段】  被写体光をＣＣＤ２２で捉えて画像信号を生成するデジタルカメラ１００において、赤色光に感度を持つＲセンサで得られた受光信号の読出しフィールドと、青色光に感度を持つＢセンサで得られた受光信号の読出しフィールドとが分かれている２フィールド以上のインタレース読出しを行なうＣＣＤ２２からの読出しを制御する撮像素子の読出制御装置４０を備え、撮像素子の読出制御装置４０を構成する色温度判定部４１は、ＣＣＤ２２で得られた受光信号に基づき色温度を判定し、読出順序制御部４２は、色温度判定部４１の判定結果に応じて、色温度が低い場合にはＲセンサからの読出しを先に行なわせ、色温度が高い場合にはＢセンサからの読出しを先に行なわせる。【選択図】        図３
2005260406.tif 000002
【特許請求の範囲】
【請求項１】
赤色光に感度を持つＲセンサで得られた受光信号の読出しフィールドと、青色光に感度を持つＢセンサで得られた受光信号の読出しフィールドとが分かれている２フィールド以上の読出しを行なう撮像素子からの読出しを制御する撮像素子の読出制御装置において、
前記撮像素子で得られた受光信号に基づき色温度を判定する色温度判定部と、
前記色温度判定部による判定結果に応じてフィールドの読出し順序を変更させる読出順序制御部とを備えたことを特徴とする撮像素子の読出制御装置。
【請求項２】
前記読出順序制御部は、前記色温度判定部の判定結果に応じて、色温度が低い場合にはＲセンサからの読出しを先に行なわせ、色温度が高い場合にはＢセンサからの読出しを先に行なわせることを特徴とする請求項１記載の撮像素子の読出制御装置。
【請求項３】
被写体光を撮像素子で捉えて画像信号を生成する撮影装置において、
前記撮像素子が、赤色光に感度を持つＲセンサで得られた受光信号の読出しフィールドと、青色光に感度を持つＢセンサで得られた受光信号の読出しフィールドとが分かれている２フィールド以上の読出しを行なうインタレース読出し方式の撮像素子であって、
前記撮像素子で得られた受光信号に基づき色温度を判定する色温度判定部と、
前記色温度判定部による判定結果に応じてフィールドの読出し順序を変更させる読出順序制御部とを備えたことを特徴とする撮影装置。
【請求項４】
前記読出順序制御部は、前記色温度判定部の判定結果に応じて、色温度が低い場合にはＲセンサからの読出しを先に行なわせ、色温度が高い場合にはＢセンサからの読出しを先に行なわせることを特徴とする請求項３記載の撮影装置。
【発明の詳細な説明】
【技術分野】
【０００１】
本発明は、インタレース読出し方式の撮像素子からの読出しを制御する撮像素子の読出制御装置、およびその撮像素子で被写体光を捉えて画像信号を生成する撮影装置に関する。
【背景技術】
【０００２】
撮影装置の一つであるデジタルカメラには、撮影素子として、ＣＣＤ（Ｃｈａｒｇｅ  Ｃｏｕｐｌｅｄ  Ｄｅｖｉｃｅ）が広く用いられている。ＣＣＤには、マトリクス状に配列された多数の光電変換素子、およびそれら多数の光電変換素子上に配備されたカラーフィルタアレイが備えられている。尚、カラーフィルタアレイには、ベイヤ配列方式、Ｇストライプ配列方式、Ｒ／Ｇ市松配列方式、ＧＲＢ完全ストライプ配列方式等がある。また、多くの場合、ＣＣＤには、個々の光電変換素子への入射光量を増大させるために、カラーフィルタアレイ上に配備された、各光電変換素子に対応する各マイクロレンズが備えられている。これら光電変換素子，カラーフィルタアレイ，マイクロレンズから、Ｒ（赤）,Ｇ（緑）,Ｂ（青）に感度を持つＲセンサ，Ｇセンサ，Ｂセンサが構成される。
【０００３】
ここで、機械式シャッタを備えるとともに、赤色光に感度を持つＲセンサで得られた受光信号の読出しフィールドと、青色光に感度を持つＢセンサで得られた受光信号の読出しフィールドとが分かれている２フィールド以上の読出し（インタレース読出し）を行なうＣＣＤを備え、そのＣＣＤからの読出しを制御する撮像素子の読出制御装置を備えたデジタルカメラが知られている。このデジタルカメラでは、露光完了時に機械式シャッタが閉成されて光が入射されない状態で上記２フィールド以上の読出しが行なわれる。ここで、最初のフィールド（第１のフィールド）読出しで電荷が読み出されている期間中は、次のフィールド（第２のフィールド）読出しで読み出される電荷量は光電変換素子に保持された状態にある。従って、第１のフィールド読出しで電荷が読み出されている期間中に、第２のフィールド読出しで読み出される電荷が、ＣＣＤを構成する半導体基板に設けられた、余剰電荷を廃棄するためのオーバーフロードレイン側に漏れ出して、露光期間中に蓄積された信号電荷量が減少するという問題がある。
【０００４】
そこで、第１のフィールド読出し中に受光エレメントとオーバーフロードレインとの間のポテンシャル障壁を、受光エレメントによる露光時よりも高い状態に設定して、第２のフィールド読出しで読み出される信号電荷が第１のフィールド読出し期間中にオーバードレイン側に漏れることを防止した技術が提案されている（特許文献１参照）。
【特許文献１】特開平１１−３３１７０８号公報
【発明の開示】
【発明が解決しようとする課題】
【０００５】
ここで、第２のフィールド読出しで読み出される信号電荷量は、熱拡散による影響で、第１のフィールド読出し期間中に低減するという現象がある。すると、第２のフィールド読出しで読み出される蓄積可能な最大の信号電荷量（飽和電荷量と称する）を保持することは困難である。従って、熱拡散による影響で低減した飽和飽和電荷量の読出しが行なわれることとなり、ＣＣＤから出力される画像信号のダイナミックレンジは狭く、デジタルカメラで高品質の画像を得ることは困難である。ここで、ＣＣＤのプロファイルを変更する等の対策が考えられるが、回路構成が複雑になるという問題が発生する。
【０００６】
本発明は、上記事情に鑑み、十分に大きな飽和電荷量を読み出すことができる撮像素子の読出制御装置、および高品質な画像が得られる撮影装置を提供することを目的とする。
【課題を解決するための手段】
【０００７】
上記目的を達成する本発明の撮像素子の読出制御装置は、赤色光に感度を持つＲセンサで得られた受光信号の読出しフィールドと、青色光に感度を持つＢセンサで得られた受光信号の読出しフィールドとが分かれている２フィールド以上の読出しを行なう撮像素子からの読出しを制御する撮像素子の読出制御装置において、
上記撮像素子で得られた受光信号に基づき色温度を判定する色温度判定部と、
上記色温度判定部による判定結果に応じてフィールドの読出し順序を変更させる読出順序制御部とを備えたことを特徴とする。
【０００８】
本発明の撮像素子の読出制御装置は、撮像素子で得られた受光信号に基づいて色温度を判定し、その判定結果に応じてフィールドの読出し順序を変更させるものであるため、撮像素子に蓄積可能な最大の信号電荷量である飽和電荷量を有するフィールドを先に読み出すことができる。従って、熱拡散による影響で低減した飽和電荷量の読出しが防止され、撮像素子からダイナミックレンジの広い画像信号が出力される。
【０００９】
ここで、本発明の撮像素子の読出制御装置における上記読出順序制御部は、上記色温度判定部の判定結果に応じて、色温度が低い場合にはＲセンサからの読出しを先に行なわせ、色温度が高い場合にはＢセンサからの読出しを先に行なわせることが好ましい。
【００１０】
このようにすると、色温度が低い場合には、Ｒセンサから熱拡散による影響が少ない飽和電荷量を読み出すことができる。また、色温度が高い場合には、Ｂセンサから熱拡散による影響が少ない飽和電荷量を読み出すことができる。
【００１１】
また、上記目的を達成する本発明の撮影装置は、被写体光を撮像素子で捉えて画像信号を生成する撮影装置において、
上記撮像素子が、赤色光に感度を持つＲセンサで得られた受光信号の読出しフィールドと、青色光に感度を持つＢセンサで得られた受光信号の読出しフィールドとが分かれている２フィールド以上の読出しを行なうインタレース読出し方式の撮像素子であって、
上記撮像素子で得られた受光信号に基づき色温度を判定する色温度判定部と、
上記色温度判定部による判定結果に応じてフィールドの読出し順序を変更させる読出順序制御部とを備えたことを特徴とする。
【００１２】
本発明の撮影装置は、撮像素子で得られた受光信号に基づいて色温度を判定し、その判定結果に応じてフィールドの読出し順序を変更させるものであるため、撮像素子に蓄積可能な最大の信号電荷量である飽和電荷量を有するフィールドを先に読み出すことができる。従って、熱拡散による影響で低減した飽和電荷量の読出しが防止され、撮像素子からダイナミックレンジの広い画像信号が出力されて、高品質の画像を得ることができる。
【００１３】
ここで、本発明の撮影装置における上記読出順序制御部は、上記色温度判定部の判定結果に応じて、色温度が低い場合にはＲセンサからの読出しを先に行なわせ、色温度が高い場合にはＢセンサからの読出しを先に行なわせることが好ましい。
【００１４】
このようにすると、色温度が低い場合には、Ｒセンサから熱拡散による影響が少ない飽和電荷量を読み出すことができるとともに、色温度が高い場合にはＢセンサから熱拡散による影響が少ない飽和電荷量を読み出すことができるため、さらに高品質の画像を得ることができる。
【発明の効果】
【００１５】
本発明の撮像素子の読出制御装置は、撮像素子で得られた受光信号に基づいて色温度を判定し、その判定結果に応じてフィールドの読出し順序を変更させるものであるため、十分に大きな飽和電荷量を読み出すことができ、撮像素子からダイナミックレンジの広い画像信号を出力することができる。また、本発明の撮影装置は、撮像素子からダイナミックレンジの広い画像信号が出力されて高品質の画像を得ることができる。
【発明を実施するための最良の形態】
【００１６】
以下、本発明の実施形態について説明する。
【００１７】
図１は、本発明の撮影装置の一実施形態であるデジタルカメラを前面斜め上から見た外観斜視図、図２は、図１のデジタルカメラを背面斜め上から見た外観斜視図である。
【００１８】
尚、本実施形態のデジタルカメラには、本発明の撮像素子の読出制御装置の一実施形態が組み込まれている。
【００１９】
図１に示すように、このデジタルカメラ１００の前面中央部には、撮影レンズ１１が備えられている。また、このデジタルカメラ１００の前面上部には、光学式ファインダ対物窓１２および補助光発光部１３が備えられている。さらに、このデジタルカメラ１００の上面には、シャッタボタン１４およびスライド式の電源スイッチ１５が備えられている。
【００２０】
さらに、図２に示すように、このデジタルカメラ１００の背面には、光学式ファインダ接眼窓１６と、メニュースイッチ１７と、実行／画面切換スイッチ１８と、画像モニタ１９とが備えられている。
【００２１】
図３は、図１に示すデジタルカメラの回路構成を示すブロック図である。
【００２２】
このデジタルカメラ１００には、前述した撮影レンズ１１と補助光発光部１３が備えられている。また、このデジタルカメラ１００には、機械式のシャッタ・絞り部２１と、ＣＣＤ２２（本発明にいう撮像素子の一例に相当）と、アナログ信号処理部２３と、このデジタルカメラ１００の動作を総括的に制御するＣＰＵ２４と、タイミングジェネレータ２５と、垂直駆動部２６とが備えられている。
【００２３】
撮影レンズ１１およびシャッタ・絞り部２１を経由してきた被写体光は、ＣＣＤ２２に入射される。ＣＣＤ２２の詳細な動作については後述するが、このＣＣＤ２２は、タイミングジェネレータ２５および垂直駆動部２６からの信号に同期して、入射された被写体光を電気信号であるアナログの画像信号に変換して出力する。
【００２４】
ＣＣＤ２２から出力されたアナログの画像信号は、アナログ信号処理部２３でアナログ信号処理される。詳細には、このアナログ信号処理部２３は、ＣＣＤ２２から出力されたアナログ画像信号に対して雑音低減処理等を施し、その処理等が施されたアナログ画像信号をデジタル画像信号にＡ／Ｄ（アナログ／デジタル）変換処理を行なって、デジタルの画像信号を出力する。
【００２５】
また、デジタルカメラ１００には、デジタル信号処理部２７と、テンポラリメモリ２８と、圧縮伸長部２９と、内蔵メモリ（またはメモリカード）３０と、前述した画像モニタ１９とが備えられている。アナログ信号処理部２３でアナログ信号処理されてデジタルに変換されたデジタル画像信号は、デジタル信号処理部２７に入力される。デジタル信号処理部２７は、入力されたデジタル画像信号に所定のデジタル信号処理を施して今回の撮影シーンの被写体画像を表わす画像データを完成させて、テンポラリメモリ２８に一時的に格納する。テンポラリメモリ２８に格納されたデータは、圧縮伸長部２９で圧縮されて内蔵メモリ（またはメモリカード）３０に記録される。尚、撮影モードによっては、圧縮の過程を省いて内蔵メモリ３０に直接記録してもよい。テンポラリメモリ２８に格納されたデータは画像モニタ１９に読み出され、これにより画像モニタ１９に被写体の画像が表示される。
【００２６】
さらに、デジタルカメラ１００には、前述したメニュースイッチ１７および実行／画面切換スイッチ１８からなる操作スイッチ部３１と、シャッタボタン１４とが備えられている。写真撮影にあたっては、操作スイッチ部３１を操作して所望の撮影状態に設定してシャッタボタン１４を押下する。
【００２７】
また、デジタルカメラ１００には、色温度判定部４１と読出順序制御部４２からなる撮像素子の読出制御装置４０（本発明の撮像素子の読出制御装置の一例に相当）が備えられている。ここで、ＣＣＤ２２には、光電変換素子，カラーフィルタアレイ，マイクロレンズからなるＲ（赤）,Ｇ（緑）,Ｂ（青）に感度を持つＲセンサ，Ｇセンサ，Ｂセンサが備えられており、撮像素子の読出制御装置４０は、このＣＣＤ２２に対して、赤色光に感度を持つＲセンサで得られた受光信号の読出しフィールドと、青色光に感度を持つＢセンサで得られた受光信号の読出しフィールドとが分かれている２フィールド以上の読出し（インタレース読出し）を行なう。
【００２８】
撮像素子の読出制御装置４０を構成する色温度判定部４１は、ＣＣＤ２２で得られた受光信号に基づき色温度を判定する。また、読出順序制御部４２は、色温度判定部４１による判定結果に応じてフィールドの読出し順序を変更させる。詳細には、この読出順序制御部４２は、色温度判定部４１の判定結果に応じて、色温度が低い場合にはＲセンサからの読出しを先に行なわせ、色温度が高い場合にはＢセンサからの読出しを先に行なわせる。以下、図４を参照して説明する。
【００２９】
図４は、図３に示すデジタルカメラにおけるインタレース読出しシーケンスを示す図である。
【００３０】
図４には、Ｒセンサ，Ｇセンサ，Ｂセンサを構成する光電変換素子からの電荷を時刻Ｔ１，Ｔ２で読み出すための読出しパルスが示されている。また、露光モードと、第１，第２の記録モードが示されている。さらに、垂直駆動部２６から出力される垂直同期信号ＶＤと、タイミングジェネレータ２５の信号に基づいて生成された電子シャッタ信号ＯＦＤと、シャッタ・絞り部２１を構成する機械式シャッタの開閉状態を示すメカシャッタ信号ＭＳとが示されている。
【００３１】
このデジタルカメラ１００では、先ず、露光モードにおいて、機械式シャッタが開成された状態で被写体光観察用のスルー画像が画像モニタ１９に表示される。ここで、写真撮影を行なうためにシャッタボタン１４が押下される。すると、複数のパルスを有する電子シャッタ信号ＯＦＤが出力され、これによりＣＣＤ２２の光電変換素子に蓄積されている電荷が廃棄される。
【００３２】
次いで、機械式シャッタが時刻Ｔ０で閉成され、所定時間経過後、メカシャッタ信号ＭＳが‘Ｈ’レベルから‘Ｌ’レベルに変化する。すると、露光モードから第１の記録モード（第１フィールド）に変化し、所定時間経過後、読出しパルスが時刻Ｔ１で出力される。ここで、あらかじめ、色温度判定部４１により、ＣＣＤ２２で得られた受光信号に基づき色温度が判定されている。ここでは、色温度が低いと判定されているものとする。色温度順序制御部４２は、これを受けて、Ｒセンサからの読出しを行なわせる。尚、Ｒセンサからの読出しに並行してＧセンサからの読出しも同時に行なわれる。
【００３３】
所定時間後、第１の記録モード（第１フィールド）から第２の記録モード（第１フィールド）に移行し、所定時間経過後、読出しパルスが時刻Ｔ２で出力される。色温度順序制御部４２は、これを受けて、Ｂセンサからの読出しを行なわせる。尚、Ｂセンサからの読出しに並行してＧセンサからの読出しも同時に行なわれる。
【００３４】
図５は、ＣＣＤを構成する光電変換素子に蓄積される信号電荷の蓄積状態を示す図である。
【００３５】
一般に、ＣＣＤを構成する光電変換素子に光が入射されると、その光電変換素子には、いわゆるポテンシャル井戸に、図５の斜線で示す状態で信号電荷が蓄積される。インタレース読出し方式を採用したＣＣＤでは、第２フィールド読出しで読み出される信号電荷量は、熱拡散による影響で、第１のフィールド読出し期間中に低減するという現象がある。即ち、第２フィールドで読み出される蓄積可能な最大の信号電荷量（飽和電荷量と称する）は減少する。
【００３６】
図６は、熱拡散による影響で飽和電荷量が減少する様子を示すグラフである。
【００３７】
光電変換素子に蓄積された飽和電荷量を読み出す場合、第１フィールド読出し（時刻Ｔ１での読出し）では、熱拡散による影響が少ないため飽和電荷量はさほど減少せず、従って読み出された飽和電荷量を表わす電位Ｖｓａｔ１は比較的高い。一方、第２フィールド読出し（時刻Ｔ２での読出し）では、熱拡散による影響で飽和電荷量は減少しているため、読み出された飽和電荷量を表わす電位Ｖｓａｔ２は比較的低い。
【００３８】
図７は、色温度が低い場合の、第１フィールド，第２フィールド読出し双方におけるＲ，Ｇ，Ｂセンサからの読出し電荷量の一例を示す図である。
【００３９】
図７の左側には、色温度が低い場合の、第１フィールド読出しにおけるＲ，Ｇ，Ｂそれぞれのセンサからの読出し電荷量が示されている。また、図７の右側には、色温度が低い場合の、第２フィールド読出しにおけるＲ，Ｇ，Ｂそれぞれのセンサからの読出し電荷量が示されている。第１フィールド，第２フィールド読出しのいずれの読出しの場合であっても、色温度が低いため、Ｒセンサで読み出された電荷量（飽和電荷量）が最も多く、以下、Ｇセンサで読み出された電荷量、Ｂセンサで読み出された電荷量の順になっている。ここで、第１フィールド読出しにおけるＲセンサからの飽和電荷量を表わす電位Ｖｓａｔ１と、第２フィールド読出しにおけるＲセンサからの飽和電荷量を表わす電位Ｖｓａｔ２との差分はΔＶである。従来のデジタルカメラでは、一律に定められた読出し順序で飽和電荷量が読み出される。このため、色温度が低い場合であっても、Ｂセンサからの読出しが先に行なわれ、次いでＲセンサからの読出しが行なわれる場合がある。その場合、第２フィールド読出しにおけるＲセンサからの飽和電荷量を表わす電位Ｖｓａｔ２が採用される。このように、従来のデジタルカメラでは、比較的低い電位Ｖｓａｔ２を基準にしてＲ，Ｇ，Ｂの各色を表わす画像信号のレベルが定められ、これらのレベルに基づいて白色バランスを求める処理等が行なわれる。従って、ＣＣＤから出力される画像信号のダイナミックレンジは狭く、デジタルカメラで高品質の画像を得ることは困難である。
【００４０】
本実施形態のデジタルカメラ１００では、上述した撮像素子の読出制御装置４０により、色温度が低い場合には、Ｒセンサからの読出しが先に行なわれる。このため、電位Ｖｓａｔ２よりもΔＶ分だけ多い電荷量を持つ飽和電荷量を表わす電位Ｖｓａｔ１を基準にして、Ｒ，Ｇ，Ｂの各色を表わす画像信号のレベルが定められる。従って、ＣＣＤ２２から出力される画像信号のダイナミックレンジは広く、デジタルカメラ１００で高品質の画像を得ることができる。尚、色温度が高い場合には、Ｂセンサからの読出しが先に行なわれる。この場合は、Ｂセンサからの、上記電位Ｖｓａｔ１に相当する電位が基準となる。
【００４１】
図８は、本実施形態のデジタルカメラの撮像素子の読出制御装置における処理ルーチンのフローチャートである。
【００４２】
先ず、ステップＳ１において、ＣＰＵ２４で画像の輝度情報であるＡＥ積算データを求めるためにＡＥ積算処理を行なう。次に、ステップＳ２において、撮像素子の読出制御装置４０を構成する色温度判定部４１で、求めたＡＥ積算データに基づいて色温度を判定する。具体的には、色温度が低い（Ｒ≧Ｇ）か色温度が高い（Ｂ≧Ｇ）かが判定される。色温度が低い（Ｒ≧Ｇ）と判定された場合はステップＳ３に進む。ステップＳ３では、第１フィールドにてＲセンサおよびＧセンサからの読出しを行ない、第２フィールドにてＢセンサおよびＧセンサからの読出しを行なってこのルーチンを終了する。
【００４３】
一方、ステップＳ２において、色温度が高い（Ｂ≧Ｇ）（もしくはＧ≧Ｒ，Ｇ）と判定された場合はステップＳ４に進む。ステップＳ４では、第１フィールドにてＢセンサおよびＧセンサからの読出しを行ない、第２フィールドにてＲセンサおよびＧセンサからの読出しを行なってこのルーチンを終了する。
【００４４】
図９は、ＣＣＤの読出し順序を変更させる手順を示す図である。
【００４５】
ＣＣＤ２２の動作状態を示すＣＣＤモードのうちの、機械式シャッタが開成された状態におけるＡＥモードにおいて、ＣＰＵ２４で画像の輝度情報であるＡＥ積算データを求めるためのＡＥ処理を行なう。次に、ＡＦモードに移行する。このＡＦモードでは、ＣＰＵ２４で画像のピントデータを求めるためのＡＦ処理を行なう。さらに、機械式シャッタが閉成されて露光モードに移行し、Ｒ，Ｇ，Ｂ３色の信号電荷を蓄積する。次いで、ＣＣＤ読出しモードに移行する。ここで、上記ＡＥモードから露光モードまでの間に、前述したＡＥ積算データに基づいて白色バランスデータを求めるためのＡＷＢ処理を行ない、この白色バランスデータを参照して色温度を判定し、その判定結果に応じて、ＣＣＤ読出しモードにおけるフィールドの読出し順序を変更する。
【００４６】
尚、本実施形態では、本発明の撮影装置としてデジタルカメラを例示して説明したが、本発明の撮影装置はこれに限られるものではなく、例えば、近年普及しているカメラ機能付の携帯電話等であってもよい。
【図面の簡単な説明】
【００４７】
【図１】本発明の撮影装置の一実施形態であるデジタルカメラを前面斜め上から見た外観斜視図である。
【図２】図１のデジタルカメラを背面斜め上から見た外観斜視図である。
【図３】図１に示すデジタルカメラの回路構成を示すブロック図である。
【図４】図３に示すデジタルカメラにおけるインタレース読出しシーケンスを示す図である。
【図５】ＣＣＤを構成する光電変換素子に蓄積される信号電荷の蓄積状態を示す図である。
【図６】熱拡散による影響で飽和電荷量が減少する様子を示すグラフである。
【図７】色温度が低い場合の、第１フィールド，第２フィールド読出し双方におけるＲ，Ｇ，Ｂセンサからの読出し電荷量の一例を示す図である。
【図８】本実施形態のデジタルカメラの撮像素子の読出制御装置における処理ルーチンのフローチャートである。
【図９】ＣＣＤの読出し順序を変更させる手順を示す図である。
【符号の説明】
【００４８】
１１  撮影レンズ
１２  光学式ファインダ対物窓
１３  補助光発光部
１４  シャッタボタン
１５  電源スイッチ
１６  光学式ファインダ接眼窓
１７  メニュースイッチ
１８  実行／画面切換スイッチ
１９  画像モニタ
２１  シャッタ・絞り部
２２  ＣＣＤ
２３  アナログ信号処理部
２４  ＣＰＵ
２５  タイミングジェネレータ
２６  垂直駆動部
２７  デジタル信号処理部
２８  テンポラリメモリ
２９  圧縮伸長部
３０  内蔵メモリ
３１  操作スイッチ部
４０  撮像素子の読出制御装置
４１  色温度判定部
４２  読出順序制御部
１００  デジタルカメラ
【図１】
2005260406.tif 000003
【図２】
2005260406.tif 000004
【図３】
2005260406.tif 000005
【図４】
2005260406.tif 000006
【図５】
2005260406.tif 000007
【図６】
2005260406.tif 000008
【図７】
2005260406.tif 000009
【図８】
2005260406.tif 000010
【図９】
2005260406.tif 000011